(57)【要約】      （修正有）【課題】ソリッド状態に近付けることによって、通常のプラスチックの射出成形品の本体では得られないサウンドを得ることができるハーモニカを提供する。【解決手段】リードを音程順に配列したリード板１２、１３、各リードが位置する笛室を有する本体及び本体に取り付けるカバー１４、１５を備えており、上記本体がプラスチックより成るハーモニカにおいて、上記プラスチック製のハーモニカ本体１１の外側に、ほぼ全音域に亘ってウェート２１ａ、２１ｂ、２１ｃを固定する。【選択図】図３
0003151200.tif 000002
【実用新案登録請求の範囲】
【請求項１】
リードを音程順に配列したリード板、各リードが位置する笛室を有する本体及び本体に取り付けるカバーを備えており、上記本体がプラスチックより成るハーモニカにおいて、上記プラスチック製のハーモニカ本体の外側に、ほぼ全音域に亘ってウェートを固定した構成を有するプラスチック製ハーモニカにおける音色調整装置。
【請求項２】
ハーモニカ本体はプラスチック成型品より成り、かつ、笛室部分の外側を取り囲む外枠を有しており、上記笛室部分の外側と外枠の内側の間の空所に、ウェートを固定した構成を有する請求項１記載のプラスチック製ハーモニカにおける音色調整装置。
【請求項３】
ウェートは、笛室部分の外側と外枠の内側の間の空所とほぼ相似の形に形成された金属製又はプラスチック製のもので、この金属製又はプラスチック製のウェートを上記空所に嵌め込んで固定した構成を有する請求項２記載のプラスチック製ハーモニカにおける音色調整装置。
【請求項４】
ハーモニカ本体がプラスチック成型品より成る場合において、インサート成型手段により笛室部分の外側の空所にプラスチックを充填することによって、ウェートを固定した構成を有する請求項１記載のプラスチック製ハーモニカにおける音色調整装置。
【考案の詳細な説明】
【技術分野】
【０００１】
本考案は、プラスチック製ハーモニカにおける音色調整装置に関するものである。
【背景技術】
【０００２】
一般にハーモニカは音程順に配列されたリードを有するリード板、各リードが位置する笛室を有する本体及び本体に取り付けるカバーを備えている。特開平８−１０１６８０号や２００４−２１９７３２号はその例である。上記本体の材質には通常プラスチック製、木製又は金属製のものが利用され、木製の本体はソリッド構造が基本であり、金属製の本体のものにもソリッド構造のものがある。しかし、本体をプラスチックにてソリッド状態に成形する場合、ひけ、反りなどの変形が生じるため実用的ではない。また、金属素材を切削加工にて加工する場合は、多くの加工時間を要することからコスト高となってしまうという問題がある。
【０００３】
事実、コスト増が余り問われないプロ用のハーモニカについては、金属素材を切削加工したソリッド構造の本体を使用しているが、それ以外の多くのハーモニカはプラスチック製の本体を有していると考えて良い。本体がソリッド構造ではないプラスチック製のハーモニカと金属製のハーモニカの音質の相違から、ソリッド構造の音質に与える影響が大きいことは知られているが、これを音質の問題として改善を図った技術的な提案は未だなされていない。
【０００４】
【特許文献１】特開平８−１０１６８０号
【特許文献２】特開２００４−２１９７３２号
【考案の開示】
【考案が解決しようとする課題】
【０００５】
本考案は前記の点に着目してなされたもので、その課題は、ハーモニカの本体をソリッド状態に近付けることによって、通常のプラスチックの射出成形品の本体では得られないサウンドを得ることができるようにすることである。また、本考案の他の課題は、音色調整のために使用するウェートの材質を金属、プラスチック等に変えることで音色の調整を可能にすることである。
【課題を解決するための手段】
【０００６】
前記の課題を解決するため、本考案は、リードを音程順に配列したリード板、各リードが位置する笛室を有する本体及び本体に取り付けるカバーを備えており、上記本体がプラスチックより成るハーモニカにおいて、上記プラスチック製のハーモニカ本体の外側に、ほぼ全音域に亘ってウェートを固定した構成を有するものとするという手段を講じたものである（請求項１記載の考案）。本考案におけるウェートは、ハーモニカ本体の剛性を高め、隙間を少なくしてソリッド状態に近付けるもので、そのために中空ではない塊り状のもの、軽いものよりも重いものが望まれる。
【０００７】
本考案のハーモニカは本体の材質がプラスチックであるハーモニカであり、このプラスチック製ハーモニカの本体は、リード板の各リードが位置する笛室を有し、個々の笛室は上向きまたは下向きのコの字型の横断面形状を有する。各笛室は、リードの長さに応じて低音側で長く、高音側で短い前後方向長さを有しており、その外側には空所が存在することになるので、この空所を利用してウェートを配置する。
【０００８】
プラスチック製ハーモニカの本体は、ほとんどの場合プラスチックの成型品より成り、その剛性を高め、かつ、ハーモニカの外形を横長の形態に整えるために笛室部分を取り囲む外枠を有している。このため、上記笛室部分の外側と外枠の内側の間に空所が形成されることになるので、この空所をウェートの固定場所に利用することが望まれる（請求項２記載の考案）。
【０００９】
本考案において、ウェートは十分な剛性を持っていること、また、そのウェートを本体に組み込む際に生産性がよいこととし、ビビリ音等を発生させないためにブロック状であることも望まれる。ウェートの材質としては、金属又はプラスチックを使用する。また、ウェートはプラスチック製の本体をソリッド状態に近付け、剛性を高める目的から、ある程度比重の大きい物質を選択することも意義があり、このためにブロックと呼ばれることもある。
【００１０】
上記ウェートは、笛室部分の外側と外枠の内側の間の空所とほぼ相似の形に形成された金属製又はプラスチック製のもので、この金属製又はプラスチック製のウェートを上記空所に嵌め込んで固定した構成を取ることは望ましいものである（請求項３記載の考案）。このようなウェートは、金属製又はプラスチック製の板材をプレス加工し、或いはプラスチックの型成型によって得るとともに、ねじ等の固定具を用いて本体に容易に固定することができ、また、交換も可能であるので音質の調整も可能になる。なお、ウェートが空所の形と相似形でなくても良いことは明らかである。
【００１１】
ハーモニカ本体がプラスチック成型品より成る場合において、インサート成型手段により笛室部分の外側の空所にプラスチックを充填することによって、ウェートを固定した構成を取ることも望ましい形態である（請求項４記載の考案）。この場合、本体は笛室部分の外側を取り囲む外枠を有していても、また、有していなくても良い。
【００１２】
なお、ハーモニカ本体を構成するプラスチックは、射出成型に使用し得るプラスチックであれば良く、例えば、アクリルニトリル−ブタジエン−スチレン樹脂（ＡＢＳ）などは好ましい素材である。また、ウェートにはプラスチック単独、プラスチックに金属粉など大比重の物質を混合したもの、プラスチック板にボルト、ナットなどの既製部品を直接固定したもの、或いは金属板材単独、薄い金属板材を複数枚重ね合わせたものなどを使用し得る。本考案のハーモニカにおいては、ハーモニカ本体に、金属製又はプラスチック製のウェートが組み合わされるので、ウェートの材質との関係からハーモニカ本体の材質を選定することもある。
【考案の効果】
【００１３】
本考案は以上のように構成されかつ作用するものであるから、ハーモニカの本体をソリッド状態に近付けることができ、それによって、ハーモニカの音色として通常のプラスチックの射出成形品の本体では得られないサウンドを得ることができるという効果を奏する。また、本考案によれば、音色調整のために使用するウェートの材質として、金属、プラスチック等を使用し、かつ、それらを交換することができるので、音色の調整が可能であるという効果がある。
【考案を実施するための最良の形態】
【００１４】
以下図示の実施形態を参照して本考案のプラスチック製ハーモニカにおける音色調整装置をより詳細に説明する。図１は本考案のプラスチック製ハーモニカ１０の外観を示すもので、スライド式クロマチックハーモニカとして図示されている。図１〜５に示す例１において、１１はプラスチック製のハーモニカ本体、１２、１３はリード板、１４、１５はカバーをそれぞれ示している。
【００１５】
ハーモニカ本体１１はプラスチック成型品より成り、横断面形状がほぼコの字型の笛室１６の列から成る笛室部分１７を有し、かつ、笛室部分１７の外側を取り囲む外枠１８を有しており、さらに、上記笛室部分１７の外側と外枠１８の内側の間に形成されている空所１９を有している（図２、図３）。この例１においてハーモニカ本体１１を構成するプラスチックは例えばＡＢＳ樹脂であり、笛室部分１７から外枠１８までの全ての構造が射出成型によって型成形されている。しかし、この例においても、プラスチックに金属粉など大比重の物質を混合したものや、プラスチック板にボルトなどの既製部品を組み合わせたものを使用することができ、それによって音色の調整が可能である。
【００１６】
上記の空所１９は、笛室１６が、リード２０の長さに応じて低音側で長く、高音側で短い前後方向長さを有しているので、笛室部分１７の外側の空所１９は低音側で前後に短く高音側で前後に長い後方空所１９ａの形態となる。なお、空所１９は後方空所１９ａとともに、低音側の側方空所１９ｂ及び高音側の側方空所１９ｃの各部分に分けられる（図３参照）。
【００１７】
上記プラスチック製のハーモニカ本体１１の空所１９には、ほぼ全音域に亘ってウェート２１を固定する。空所１９が後方空所１９ａ、低音側の側方空所１９ｂ及び高音側の側方空所１９ｃの各部分に分けられている本例の場合、ウェート２１も３部分に分けて設けることができるので、それらを２１ａ、２１ｂ、２１ｃとする。空所とウェートの枝符号ａ、ｂ、ｃは対応するものとする。即ち、ウェート２１の後方部分２１ａは後方空所１９ａと、同じく側方部分２１ｂ、２１ｃは側方空所１９ｂ、１９ｃとそれぞれ相似の形状に形成されたものから成る。
【００１８】
この例１におけるウェート２１（２１ａ、２１ｂ、２１ｃ）は、金属板（黄銅板）を用いてこれをプレス加工して製造したものから成っている。このウェート２１（２１ａ、２１ｂ、２１ｃ）には、空所１９（１９ａ、１９ｂ、１９ｃ）の凹凸変化やねじ止め用の孔など固有の形状変化を有するが、プレス加工の刃型を上記形状変化に従って形成することによって、容易に目的のウェート２１を得ることができる。
【００１９】
これらのウェート２１（２１ａ、２１ｂ、２１ｃ）はハーモニカ本体１１の上下両面における空所１９（１９ａ、１９ｂ、１９ｃ）に嵌め込まれ、ねじとして図示された固定具２２を用いてハーモニカ本体１１に固定される。なお、２３はカバー用止めねじを示す。また、２４はマウスピース、２５はスライドを示す。
【００２０】
図６は、本考案の例２を示すもので、笛室部分１７の外側と外枠１８の内側に形成されている空所１９（１９ａ、１９ｂ、１９ｃ）とほぼ相似形に、射出成型によって形成された、プラスチック製のウェート２６を適用した例である。なお、符号は例１のものを使用し、改めて説明する煩を省く。プラスチック製のウェート２６は、後方部分２６ａ、高音側の側方部分２６ｂ、低音側の側方部分２６ｃが一体化され、全体としてほぼＣ字型に形成されている。
【００２１】
上記ウェート２６は、ハーモニカ本体１１の上下両面における空所１９（１９ａ、１９ｂ、１９ｃ）に嵌め込まれ、図示しないねじを固定具２２として用いて、例１と同様にハーモニカ本体１１に固定される。
【００２２】
図７は、本考案の例３を示すもので、プラスチック成型品より成るハーモニカ本体１１を成型金型にセットし、インサート成型手段により笛室部分１７の外側の空所１９にプラスチックを充填し、それによって、ウェート２７を固定した構成を有する例である。例３においても、ウェート２７（２７ａ、２７ｂ、２７ｃ）はハーモニカ本体１１の上下両面における空所１９（１９ａ、１９ｂ、１９ｃ）に設けられ、インサート成型にて射出された樹脂の付着によって固定されている。例３において、材質的に異なるプラスチックを２色成型することで、ねじ止めや接着の作業工程を省き、生産性を高め、コストを下げることができる。
【００２３】
上記例１〜３では、スライド式クロマチックハーモニカについて本考案を適用した例を説明したが、それ以外のハーモニカについても本考案を同様に適用できることは当然のことである。以下にその例を示すと、図８は複音ハーモニカのハーモニカ本体２８を示しており、この場合ハーモニカ本体２８の上下両面における笛室部分１７の三周に、例１等と同様に連続したほぼＣ字型の空所１９（１９ａ、１９ｂ、１９ｃ）があるので、この空所１９（１９ａ、１９ｂ、１９ｃ）に適合する形態のウェート（図示せず）を固定し、本考案を構成することができる。
【００２４】
また、図９は１０穴（１０Ｈ）ハーモニカのハーモニカ本体２９を示しており、この場合、ハーモニカ本体２９の上下両面における笛室部分１７の三周に空所１９を有しているが、その後方部分１９ａ、１９ｂ、１９ｃの内の一部で連続が切れている。従って、この例では連続している後方部分１９ａ、側方部分１９ｂと、連続が切れている側方部分１９ｃは例１と同様に別構造になるが、それぞれの空所部分１９ａ、１９ｂ、１９ｃに適合する形態のウェート（図示せず）を固定し、本考案を構成することができる。図８及び図９とも、その詳細について改めて説明する必要はないであろう。その他、例１と同様の構成は、符号を援用して説明に換える。
【００２５】
本考案のプラスチック製ハーモニカにおける音色調整装置はこのように構成されているものであるから、符号２１、２６、２７で示されるウェートがハーモニカ本体１１と一体となってプラスチックハーモニカ１０を構成しており、それによってリード２０の振動がウェートに受け止められることとなるので、例えば重厚な、或いは意図したとおりのサウンドを得ることができる。
【００２６】
以上の説明では、外枠１８を有するハーモニカ本体について説明しており、実際にはこのような構造を持つものが多いのであるが、外枠１８に相当する部分を有していないハーモニカ本体についても、本考案を適用することには全く問題がない。特にインサート成型手段によって笛室部分の外側の空所にプラスチックを充填する場合には、却って外枠相当部分は邪魔でもあり、ない方が良いので、必須構成要件にもなっていない。
【図面の簡単な説明】
【００２７】
【図１】本考案に係る音色調整装置の組み込まれたプラスチック製ハーモニカの例１を示す斜視図である。
【図２】同上のハーモニカ本体を示す斜視図である。
【図３】同上における全体の分解斜視図である。
【図４】同じく例１の説明のための平面図である。
【図５】同じく本体部分のみの分解斜視図である。
【図６】本考案の例２を示す斜視図である。
【図７】本考案の例３を示す斜視図である。
【図８】本考案を適用した複音ハーモニカのハーモニカ本体を示す斜視図である。
【図９】本考案を適用した１０穴ハーモニカのハーモニカ本体を示す斜視図である。
【符号の説明】
【００２８】
１０  プラスチックハーモニカ
１１  ハーモニカ本体
１２、１３  リード板
１４、１５  カバー板
１６  笛室
１７  笛室部分
１８  外枠
１９  空所
２０  リード
２１  金属製のウェート
２２  固定具としてのねじ
２３  カバー用止めねじ
２４  マウスピース
２５  スライド
２６  プラスチック製のウェート
２７  インサート成型されたウェート
２８、２９  ハーモニカ本体
【図１】
0003151200.tif 000003
【図２】
0003151200.tif 000004
【図３】
0003151200.tif 000005
【図４】
0003151200.tif 000006
【図５】
0003151200.tif 000007
【図６】
0003151200.tif 000008
【図７】
0003151200.tif 000009
【図８】
0003151200.tif 000010
【図９】
0003151200.tif 000011